(57)【要約】【課題】組電池モジュールを構成する複数の単電池からガスが同時期に排出されるといった事態を抑制する。【解決手段】複数の単電池を接続して成る組電池1をハウジング２内部に収納した組電池モジュールにおいて、組電池１を構成する個々の単電池１０は、他の単電池１０のいずれかと比較して、シール部１３ａ，１４ａの幅Ｗが異なるように設定されている。【選択図】図１
2009266680.tif 000002
【特許請求の範囲】
【請求項１】
それぞれが電気的に接続された複数の単電池で構成される組電池をケーシング内部に収容した組電池モジュールにおいて、
前記複数の単電池のうちの一つの単電池である第１の単電池と、
前記複数の単電池のうちの一つの単電池であり、前記第１の単電池と異なる第２の単電池とを有し、
前記単電池のそれぞれは、当該電池内部の内圧が開放圧力に到達することにより、前記電池内部のガスを外部に排出可能に構成されており、
前記第１の単電池は、前記第２の単電池と比較して、ガスの排出タイミングが異なるように設定されることを特徴とする組電池モジュール。
【請求項２】
前記第１の単電池は、前記第２の単電池と比較して、前記開放圧力が異なることを特徴とする請求項１に記載された組電池モジュール。
【請求項３】
前記単電池のそれぞれは、
正極板と負極板とが交互に積層されて構成される発電要素と、
前記発電要素の上面側をカバーする第１の外装部材と、前記発電要素の下面側をカバーする第２の外装部材とを周縁部において互いに溶着することにより、密閉空間内に前記発電要素とともに電解質を収容する電池外装と
で構成されていることを特徴とする請求項２に記載された組電池モジュール。
【請求項４】
前記開放圧力は、前記第１の外装部材と前記第２の外装部材との周縁部における溶着幅により設定されることを特徴とする請求項３に記載された組電池モジュール。
【請求項５】
前記開放圧力は、前記第１の外装部材と前記第２の外装部材との周縁部における溶着領域に設けられる未溶着領域の形状により設定されることを特徴とする請求項３に記載された組電池モジュール。
【請求項６】
前記開放圧力は、前記第１の外装部材と前記第２の外装部材との周縁部における溶領域に形成される切り欠きの形状により設定されることを特徴とする請求項３に記載された組電池モジュール。
【請求項７】
前記第１の単電池は、前記第２の単電池と比較して、内圧の上昇速度が異なることを特徴とする請求項１に記載された組電池モジュール。
【請求項８】
前記単電池のそれぞれは、
正極板と負極板とが交互に積層されて構成される発電要素と、
前記発電要素の上面側をカバーする第１の外装部材と、前記発電要素の下面側をカバーする第２の外装部材とを周縁部において互いに溶着することにより、密閉空間内に前記発電要素とともに電解質を収容する電池外装とで構成されていることを特徴とする請求項７に記載された組電池モジュール。
【請求項９】
前記内圧の上昇速度は、前記密閉空間の容積により設定されることを特徴とする請求項８に記載された組電池モジュール。
【請求項１０】
前記内圧の上昇速度は、前記単電池の積層間隔により設定されることを特徴とする請求項８に記載された組電池モジュール。
【請求項１１】
前記内圧の上昇速度は、前記第１の外装部材と前記第２の外装部材とに両側より作用する押圧力により設定されることを特徴とする請求項８に記載された組電池モジュール。
【発明の詳細な説明】
【技術分野】
【０００１】
本発明は、それぞれが電気的に接続された複数の単電池で構成される組電池をケーシング内部に収容した組電池モジュールに関する。
【背景技術】
【０００２】
従来より、例えば、リチウムイオン電池のように、高エネルギー密度、高出力密度となる電池の開発が盛んに行われている。この類の電池としては、例えばセパレータを介して正極板と負極板とを積層した電極積層体を備える積層型電池が知られている。この積層型電池は、一対の外装部材を周縁部において互いに溶着することにより、密閉空間内に発電要素とともに電解質を収容している。
【０００３】
各単電池は、過充電等において、電池内部温度の上昇とともに、電解液の分解が起き、これにより、電池内部にガスが発生する。これにより、電池内部の内圧が上昇した場合には、外装の形状変形や破裂といった不都合が生じる。そのため、個々の単電池には、電池内部の内圧が所定の開放圧力に到達すると、電池内部のガスを排出するガス排出構造が採用されている。
【０００４】
このような単電池を電気自動車やハイブリッドカーに搭載する場合、出力電圧を確保するために、複数の単電池を電気的に直列接続して構成される組電池が用いられる。複数の単電池はハウジングに収容されて組電池モジュールとして構成される。
【０００５】
例えば、特許文献１には、個々の単電池からの排出ガスをハウジング外部に排出するための排出流路を備える組電池モジュールが開示されている。
【特許文献１】特開２００４−２２３３８号公報
【発明の開示】
【発明が解決しようとする課題】
【０００６】
ところで、組電池を構成する複数の単電池から、ほぼ同時期にガスが排出されることも考えられる。特許文献１の手法のように排出流路によりガスを外部に排出したとしても、その排出能力が小さい場合には、ガスを排出しきれない虞がある。この場合には、ハウジングの変形や排出流路の変形といった不都合が生じる。一方で、排出流路を大きくした場合には、ハウジングが大型化し、ひいては、組電池モジュールの大型化になり好ましくない。
【０００７】
本発明はかかる事情に鑑みてなされたものであり、その目的は、複数の単電池から構成された組電池をケーシング内部に収容した組電池モジュールにおいて、大型化を抑制した上でガスをケーシング外部に円滑に排出することである。
【課題を解決するための手段】
【０００８】
かかる課題を解決するために、本発明は、少なくとも第１の単電池および第２の単電池が電気的に接続された組電池をケーシング内部に収容した組電池モジュールを提供する。ここで、単電池のそれぞれは、電池内部の内圧が開放圧力に到達することにより、電池内部のガスを外部に排出可能に構成されている。そして、第１の単電池は、第２の単電池と比較して、ガスの排出タイミングが異なるように設定される。
【発明の効果】
【０００９】
本発明によれば、組電池を構成する各単電池において、ガスの排出タイミングをオフセットさせ、組電池全体からの単位時間当たりのガスの排出量を規制することができる。これにより、組電池モジュールの大型化を招くこと無く、組電池からのガスをケーシング外部に円滑に排出することができる。
【発明を実施するための最良の形態】
【００１０】
（第１の実施形態）
図１は、本発明の第１の実施形態にかかる組電池１の構成を模式的に示す断面図である。組電池１は、複数の単電池１０を厚み方向に積層して構成されており、各単電池１０が電気的に並列または直列になるように相互に接続されている。各単電池１０を積層して形成された組電池1は、ハウジング（ケーシング）２内に収容されて組電池モジュールを形成する。このハウジング２には、後述するように、単電池１０の内部からガスが排出された場合に、このガスを外部へと排出するための排出流路または排出口（図示せず）が設けられている。
【００１１】
図２は、単電池１０を模式的に示す説明図である。同図（ａ）は、単電池１０を模式的に示す上面図であり、同図（ｂ）は、単電池１０を模式的に示す分解斜視図である。本実施形態において、単電池１０は、積層型電池であり、その外観が略矩形状に形成されている。積層型電池である単電池１０は、電池要素としての電極積層体と、この電極積層体を収容する電池外装１２とを主体に構成されている。
【００１２】
電極積層体は、セパレータ（図示せず）を介して正極板１５と負極板１６とが交互に積層されて構成されている。正極板１５は、シート状の正極集電体の両面（或いは片面）に正極活物質を塗布したものであり、略矩形状に形成される。負極板１６は、シート状の負極集電体の両面（或いは片面）に負極活物質を塗布したものであり、略矩形状に形成される。セパレータは、イオン透過性の絶縁層として機能するプレートであり、略矩形状に形成される。
【００１３】
この単電池１０において、例えば、対向する一対の辺（本実施形態では、一対の短手辺）のうち、一方の短手辺には、電極端子としての正極タブ１８が設けられ、他方の短手辺には、電極端子としての負極タブ１９が設けられる（図２（ｂ）では図示を省略）。個々の正極板１５は、正極リード（図示せず）を介して板状の正極の電極である正極タブ１８に接続される。具体的には、各正極板１５より正極リードがそれぞれ引き出され、これらの正極リードは、層状に重ね合わされ、溶接等の手法により正極タブ１８に接合される。一方、個々の負極板１６は、負極リード（図示せず）を介して板状の負極の電極である負極タブ１９に接続される。具体的には、各負極板１６より負極リードが引き出され、これらの負極リードは、層状に重ね合わされ、溶接等の手法により負極タブ１９に接合される。
【００１４】
電池外装１２は、一対の金属複合フィルム１３，１４で構成されている。個々の金属複合フィルム１３，１４は、電極積層体よりも若干大きなサイズの矩形状に形成されたシート状の部材であり、中央部に凹部１３ｂ，１４ｂが設けられたカップ形状を有している。１対の金属複合フィルム１３，１４は、外周縁部において互いに重ね合わせて溶着されることにより、凹部１３ｂ，１４ｂによって形成される密閉空間内に、電解質ともに電極積層体を収容する。金属複合フィルム１３，１４の周縁縁部において、溶着により形成されるシール部１３ａ，１４ａは、その幅（溶着幅）Ｗが所定の値に設定されている。
【００１５】
再び図１を参照するに、本実施形態の特徴の一つとして、組電池１を構成する個々の単電池１０は、組電池１を構成する他の単電池１０のいずれかと比較して、シール部１３ａ，１４ａの幅Ｗが相違するように構成されている。図１に示す組電池１は、６つの単電池１０を有する。同図に示す例では、中央位置において互いに隣接する一対の単電池１０は、シール部１３ａ，１４ａの幅が「Ｗ１」に設定されており、これらの単電池１０を挟むように両側に位置する一対の単電池１０は、シール部１３ａ，１４ａの幅が「Ｗ２」に設定されている。また、最も外側に位置する一対の単電池１０は、シール部１３ａ，１４ａの幅が「Ｗ３」に設定されている。ここで、幅Ｗ３は、幅Ｗ２よりも大きな値に設定されており、幅Ｗ２は、幅Ｗ１よりも大きな値に設定されている。
【００１６】
このような構成を有する単電池（積層型電池）１０は、例えば、リチウムイオン電池としての適用が可能である。この場合、電極積層体の正極板１５を形成している正極活物質は、リチウムマンガン系複合酸化物、具体的には、例えば、一般式ＬｉｙＭｎ２−ｚＭ’ｚＯ４（ただし、０．９≦ｙ≦１．２、０．０１≦ｚ≦０．５であり、Ｍ’はＦｅ，Ｃｏ，Ｎｉ，Ｃｕ，Ｚｎ，Ａｌ，Ｓｎ，Ｂ，Ｇａ，Ｃｒ，Ｖ，Ｔｉ，Ｍｇ，Ｃａ，Ｓｒの少なくとも一つである。）で表される化合物を含有する。なお、正極活物質は、リチウムマンガン系複合酸化物以外にも、例えば、一般式ＬｉＮｉ１−ｘＭｘＯ２（ただし、０．０１≦ｘ≦０．５であり、ＭはＦｅ，Ｃｏ，Ｍｎ，Ｃｕ，Ｚｎ，Ａｌ，Ｓｎ，Ｂ，Ｇａ，Ｃｒ，Ｖ，Ｔｉ，Ｍｇ，Ｃａ，Ｓｒの少なくとも一つである。）で表せる化合物であるリチウムニッケル系複合酸化物や、一般式ＬｉＣｏ１−ｘＭｘＯ２（ただし、０．０１≦ｘ≦０．５であり、ＭはＦｅ，Ｎｉ，Ｍｎ，Ｃｕ，Ｚｎ，Ａｌ，Ｓｎ，Ｂ，Ｇａ，Ｃｒ，Ｖ，Ｔｉ，Ｍｇ，Ｃａ，Ｓｒの少なくとも一つである。）で表せる化合物であるリチウムコバルト系複合酸化物等を含有することも可能である。
【００１７】
一方、電極積層体の負極板１６を形成している負極活物質としては、対リチウム電位が２．０Ｖ以下の範囲でリチウムをドープ・脱ドープすることが可能な材料であれば何れも使用可能である。具体的には、難黒鉛化性炭素材料、人造黒鉛、天然黒鉛、熱分解黒鉛類、ピッチコークスやニードルコークスや石油コークス等のコークス類、グラファイト、ガラス状炭素類、フェノール樹脂やフラン樹脂等を適当な温度で焼成して炭化した有機高分子化合物焼成体、炭素繊維、活性炭、カーボンブラック等の結晶性・非結晶性炭素質材料を使用することが可能である。
【００１８】
正極タブ１８および負極タブ１９は金属板でそれぞれ形成される。例えば、正極タブ１８は、アルミニウム板より形成され、負極タブ１９は、ニッケル板より形成される。正極リードおよび負極リードはそれぞれ金属箔で形成される。例えば、正極リードは、アルミニウム箔より形成され、負極リードは、銅箔より形成される。
【００１９】
一対の金属複合フィルム１３，１４は、例えば、アルミニウム等よりなる金属層を基材とし、この金属層の内側にＰＥ（ポリエチレン）またはＰＰ（ポリプロピレン）等よりなる高分子樹脂層がコーティングされる。また、これらの金属複合フィルム１３，１４には、金属層の外側に接着層を介してナイロン等よりなる保護層が接着される。さらに、正極タブ１８および負極タブ１９が引き出される位置には、密封性の向上といった観点から、各タブ１８，１９の両面にポリプロピレンなどの樹脂フィルムが介装される。
【００２０】
このように本実施形態において、組電池１を構成する個々の単電池１０は、他の単電池１０のいずれかと比較して、シール部１３ａ，１４ａの幅Ｗが異なるように設定されている。
【００２１】
単電池１０である積層型電池は、過充電等により、電池内部温度の上昇とともに電解液の分解が起き、これにより、電池内部にガスが発生する。そのため、金属複合フィルム１３，１４における密閉空間の内圧が上昇し、金属複合フィルム１３，１４が膨張する。そして、この内圧が開放圧力に到達すると、シール部１３ａ，１４ａの溶着が破断され、これにより、内部のガスが排出される。
【００２２】
開放圧力はシール部１３ａ，１４ａの溶着強度による為、シール部１３ａ，１４ａの幅（溶着幅）Ｗに依存する。具体的には、シール部１３ａ，１４ａの幅Ｗは、その値が大きい程、開放圧力が高く設定され、その値が小さい程、開放圧力が低く設定される。このため、組電池１を構成する個々の単電池１０は、その他のいずれかの単電池１０と比較して、ガスの排出タイミングが異なるように設定される。換言すれば、シール部１３ａ，１４ａは、電池の内圧が開放圧力に到達することにより、内部のガスを排出する排出手段として機能する。
【００２３】
このように本実施形態によれば、個々の単電池１０の開放圧力が、一対の金属複合フィルム１３，１４の周縁部における溶着幅Ｗにより設定される。これにより、組電池１を構成する単電池１０において、ガスの排出タイミングをオフセットさせることができる。そのため、複数の単電池１０において、ガスの排出タイミングが同時期となるといった事態が抑制される。これにより、短時間に多量のガスが組電池１から放出されてハウジング２内に充満するといった事態が抑制されるので、ハウジング２の変形や、ハウジング２に設けられる排出流路が変形するといった問題を抑制することができる。また、排出流路を大型化する必要もないので、組電池モジュール自体の大型化も抑制することができる。
【００２４】
（第２の実施形態）
図３は、第２の実施形態にかかる組電池１を構成する単電池１０を模式的に示す説明図である。第２の実施形態にかかる組電池１が、第１の実施形態のそれと相違する点は、組電池１を構成する単電池１０の構成である。なお、組電池１および単電池（積層型電池）１０において、第１の実施形態と対応する構成については、符号を引用して重複する説明は省略することとし、以下、相違点を中心に説明を行う。
【００２５】
一対の金属複合フィルム１３，１４の周縁縁部には、第１の実施形態と同様、溶着によりシール部１３ａ，１４ａが形成される。しかしながら、本実施形態のシール部１３ａ，１４ａは、図中のハッチング領域で示すように、溶着が部分的に施されていない未溶着領域が設定されている。
【００２６】
本実施形態の特徴の一つとして、組電池１を構成する個々の単電池１０は、組電池１を構成する他の単電池１０のいずれかと比較して、シール部１３ａ，１４ａにおける未溶着領域の形状が相違するように構成されている。例えば、同図（ａ），（ｂ）に示すように、ある単電池１０は、シール部１３ａ，１４ａにおける未溶着領域の幅Ｗａが、他の組電池１よりも大きくなるように設定されるといった如くである。
【００２７】
かかる構成によれば、電池内圧の上昇時には、シール部１３ａ，１４ａにおいて、未溶着領域（溶着幅の小さい部分）の溶着強度が他の部分に比して低いため、未溶着領域におけるシール部１３ａ，１４ａが破断されやすくなる。したがって、個々の単電池１０において、電池内圧が開放圧力に到達すると、未溶着領域におけるシール部１３ａ，１４ａの溶着が破断され、これにより、内部のガスを排出することができる。
【００２８】
開放圧力は、未溶着領域の形状、具体的には、幅Ｗａ（換言すると溶着幅）に依存する。具体的には、未溶着領域の幅Ｗａは、その値が大きい程（溶着幅が小さい程）、開放圧力が低く設定され、その値が小さい程（溶着幅が大きい程）、開放圧力が高く設定される。このため、組電池１を構成する各単電池１０において、未溶着領域の幅Ｗａを異ならせる事によりガスの排出タイミングが異なるように設定される。換言すれば、未溶着領域が設定されたシール部１３ａ，１４ａは、電池内圧が未溶着領域の幅Ｗａに対応した開放圧力に到達することにより、内部のガスを排出する排出手段として機能する。
【００２９】
このように本実施形態によれば、個々の単電池１０の開放圧力が、一対の金属複合フィルム１３，１４の周縁部における溶着領域に設けられる未溶着領域の形状（幅Ｗａ）により設定される。これにより、組電池１を構成する単電池１０において、ガスの排出タイミングをオフセットさせることができる。そのため、複数の単電池１０において、ガスの排出タイミングが同時期となるといった事態が抑制される。これにより、短時間に多量のガスが組電池１から放出されてハウジング２内に充満するといった事態が抑制されるので、ハウジング２の変形や、ハウジング２に設けられる排出流路が変形するといった問題を抑制することができる。また、排出流路を大型化する必要もないので、組電池モジュール自体の大型化も抑制することができる。
【００３０】
（第３の実施形態）
図４は、第３の実施形態にかかる組電池１を構成する単電池１０を模式的に示す説明図である。第３の実施形態にかかる組電池１が、第１の実施形態のそれと相違する点は、組電池１を構成する単電池１０の構成である。なお、組電池１および単電池（積層型電池）１０において、第１の実施形態と対応する構成については、符号を引用して重複する説明は省略することとし、以下、相違点を中心に説明を行う。
【００３１】
一対の金属複合フィルム１３，１４の周縁縁部には、第１の実施形態と同様、溶着によりシール部１３ａ，１４ａが形成される。しかしながら、本実施形態のシール部１３ａ，１４ａは、その一部が切り欠かれた切欠部１３ｃが設定されている。
【００３２】
本実施形態の特徴の一つとして、組電池１を構成する個々の単電池１０は、組電池１を構成する他の単電池１０のいずれかと比較して、シール部１３ａ，１４ａにおける切欠部１３ｃの形状が相違するように構成されている。例えば、同図（ａ），（ｂ）に示すように、ある組電池１は、シール部１３ａ，１４ａにおける切欠部１３ｃの幅Ｗｂが、他の組電池１よりも大きくなるように設定されるといった如くである。
【００３３】
かかる構成によれば、電池内圧の上昇時には、シール部１３ａ，１４ａにおいて、（溶着幅の小さい部分）の溶着強度が他の部分に比して低いため、切欠部１３ｃにおけるシール部１３ａ，１４ａが破断されやすくなる。したがって、個々の単電池１０において、電池内圧が開放圧力に到達すると、切欠部１３ｃにおけるシール部１３ａ，１４ａの溶着が破断され、これにより、内部のガスを排出することができる。
【００３４】
開放圧力は、切欠部１３ｃの形状、具体的には、幅Ｗｂ（換言すると溶着幅）に依存する。具体的には、未溶着領域の幅Ｗｂは、その値が大きい程（溶着幅が小さい程）、開放圧力が低く設定され、その値が小さい程（溶着幅が大きい程）、開放圧力が高く設定される。このため、組電池１を構成する各単電池１０において、切欠部１３ｃの幅Ｗｂを異ならせる事によりガスの排出タイミングが異なるように設定される。換言すれば、切欠部１３ｃが設定されたシール部１３ａ，１４ａは、電池内圧が切欠部１３ｃの幅Ｗｂに対応した開放圧力に到達することにより、内部のガスを排出する排出手段として機能する。
【００３５】
このように本実施形態によれば、個々の単電池１０の開放圧力が、一対の金属複合フィルム１３，１４の周縁部における溶着領域に形成される切欠部１３ｃの形状（例えば、幅Ｗｂ）により設定される。これにより、組電池１を構成する単電池１０において、ガスの排出タイミングをオフセットさせることができる。そのため、複数の単電池１０において、ガスの排出タイミングが同時期となるといった事態が抑制される。これにより、短時間に多量のガスが組電池１から放出されてハウジング２内に充満するといった事態が抑制されるので、ハウジング２の変形や、ハウジング２に設けられる排出流路が変形するといった問題を抑制することができる。また、排出流路を大型化する必要もないので、組電池モジュール自体の大型化も抑制することができる。
【００３６】
（第４の実施形態）
図５は、第４の実施形態にかかる組電池１を構成する単電池１０を模式的に示す説明図である。第４の実施形態にかかる組電池１が、第１の実施形態のそれと相違する点は、組電池１を構成する単電池１０の構成である。なお、組電池１および単電池（積層型電池）１０において、第１の実施形態と対応する構成については、符号を引用して重複する説明は省略することとし、以下、相違点を中心に説明を行う。
【００３７】
本実施形態の特徴の一つとして、組電池１を構成する個々の単電池１０は、組電池１を構成する他の単電池１０のいずれかと比較して、一対の金属複合フィルム１３，１４において電極積層体を収容する収容部分の容積、具体的には、凹部１３ｂ，１４ｂによって構成される密閉空間の容積Ｖが相違するように構成されている。例えば、同図（ａ），（ｂ）に示すように、ある単電池１０は、密閉空間の容積Ｖが、他の単電池１０よりも大きくなるように設定されるといった如くである。
【００３８】
単電池１０である積層型電池は、過充電等により、電池内部温度の上昇とともに電解液の分解が起き、これにより、電池内部にガスが発生する。そのため、金属複合フィルム１３，１４における密閉空間の内圧が上昇し、金属複合フィルム１３，１４が膨張する。そして、この内圧が開放圧力に到達すると、シール部１３ａ，１４ａの溶着が破断され、これにより、内部のガスが排出される。
【００３９】
内圧の上昇速度は、密閉空間の容積Ｖに依存する。具体的には、密閉空間の容積Ｖは、その値が大きい程、内圧の上昇速度が遅くなるように設定され、その値が小さい程、内圧の上昇速度が速くなるようにに設定される。このため、組電池１を構成する個々の単電池１０は、その他のいずれかの単電池１０と比較して、ガスの排出タイミングが異なるように設定される。
【００４０】
このように本実施形態によれば、個々の単電池１０の内圧の上昇速度が、一対の金属複合フィルム１３，１４による密閉空間の容積Ｖにより設定される。これにより、組電池１を構成する単電池１０において、ガスの排出タイミングをオフセットさせることができる。そのため、複数の単電池１０において、ガスの排出タイミングが同時期となるといった事態が抑制される。これにより、短時間に多量のガスが組電池1から放出されてハウジング２内に充満するといった事態が抑制されるので、ハウジング２の変形や、ハウジング２に設けられる排出流路が変形するといった問題を抑制することができる。また、排出流路を大型化する必要もないので、組電池モジュール自体の大型化も抑制することができる。
【００４１】
（第５の実施形態）
図６は、第５の実施形態にかかる組電池１を構成する単電池１０を模式的に示す説明図である。第５の実施形態にかかる組電池１が、第１の実施形態のそれと相違する点は、組電池１を構成する単電池１０のレイアウトである。なお、組電池１および単電池（積層型電池）１０において、第１の実施形態と対応する構成については、符号を引用して重複する説明は省略することとし、以下、相違点を中心に説明を行う。
【００４２】
本実施形態の特徴の一つとして、組電池１を構成する個々の単電池１０は、組電池１を構成する他の単電池１０のいずれかと比較して、隣接する単電池１０までの距離が相違するように構成されている。図６に示す組電池１は、６つの単電池１０を有する。同図に示す例では、互いに隣接する一対の単電池１０は、下方から上方にかけて一対の単電池１０の間の間隔が、「Ｗｃ１」、「Ｗｃ２」、「Ｗｃ３」、「Ｗｃ４」に設定されている。ここで、間隔Ｗｃ４は、間隔Ｗｃ３よりも大きな値に設定されており、間隔Ｗｃ３は、間隔Ｗｃ２よりも大きな値に設定されており、間隔Ｗｃ２は、間隔Ｗｃ１よりも大きな値に設定されている。
【００４３】
単電池１０である積層型電池は、過充電等により、電池内部温度の上昇とともに電解液の分解が起き、これにより、電池内部にガスが発生する。そのため、金属複合フィルム１３，１４における密閉空間の内圧が上昇し、金属複合フィルム１３，１４が膨張する。そして、この内圧が開放圧力に到達すると、シール部１３ａ，１４ａの溶着が破断され、これにより、内部のガスが排出される。
【００４４】
内圧の上昇速度は、隣接する単電池１０との間隔Ｗｃに依存する。具体的には、間隔Ｗｃは、その値が大きい程、内圧の上昇速度が遅くなるように設定され、その値が小さい程、内圧の上昇速度が速くなるようにに設定される。このため、組電池１を構成する個々の単電池１０は、その他のいずれかの単電池１０と比較して、ガスの排出タイミングが異なるように設定される。
【００４５】
このように本実施形態によれば、個々の単電池１０の内圧の上昇速度が、単電池１０の積層間隔Ｗｄ１〜Ｗｄ４により設定される。これにより、組電池１を構成する単電池１０において、ガスの排出タイミングをオフセットさせることができる。そのため、複数の単電池１０において、ガスの排出タイミングが同時期となるといった事態が抑制される。これにより、短時間に多量のガスが組電池1から放出されてハウジング２内に充満するといった事態が抑制されるので、ハウジング２の変形や、ハウジング２に設けられる排出流路が変形するといった問題を抑制することができる。また、排出流路を大型化する必要もないので、組電池モジュール自体の大型化も抑制することができる。
【００４６】
（第６の実施形態）
図７は、第６の実施形態にかかる組電池１を構成する単電池１０を模式的に示す説明図である。第６の実施形態にかかる組電池１が、第１の実施形態のそれと相違する点は、組電池１を構成する単電池１０の押圧構造である。なお、組電池１および単電池（積層型電池）１０において、第１の実施形態と対応する構成については、符号を引用して重複する説明は省略することとし、以下、相違点を中心に説明を行う。
【００４７】
本実施形態の特徴の一つとして、組電池１を構成する個々の単電池１０は、組電池１を構成する他の単電池１０のいずれかと比較して、自己に作用する押圧力が相違するように構成されている。組電池１は、複数の単電池１０が１セットとして纏められてることにより、相互に押圧されており、２つ以上の単電池１０のセットがハウジング２に収容されて構成されている。例えば、同図（ａ），（ｂ）に示すように、１セットが４つの組電池で構成されている場合、ある単電池１０のセットに含まれる単電池１０の押圧力Ｐ１は、他の単電池１０のセットに含まれる単電池１０の押圧力Ｐ１よりも大きくなるように設定されるといった如くである。
【００４８】
単電池１０である積層型電池は、過充電等により、電池内部温度の上昇とともに電解液の分解が起き、これにより、電池内部にガスが発生する。そのため、金属複合フィルム１３，１４における密閉空間の内圧が上昇し、金属複合フィルム１３，１４が膨張する。そして、この内圧が開放圧力に到達すると、シール部１３ａ，１４ａの溶着が破断され、これにより、内部のガスが排出される。
【００４９】
内圧の上昇速度は、単電池１０に対する押圧力に依存する。具体的には、押圧力は、その値が大きい程、内圧の上昇速度が速くように設定され、その値が小さい程、内圧の上昇速度が遅くなるようにに設定される。このため、組電池１を構成する個々の単電池１０は、その他のセットに含まれる単電池１０と比較して、ガスの排出タイミングが異なるように設定される。
【００５０】
このように本実施形態によれば、個々の単電池１０の内圧の上昇速度が、一対の金属複合フィルム１３，１４に両側より作用する押圧力により設定される。これにより、組電池１を構成する単電池１０において、ガスの排出タイミングをオフセットさせることができる。そのため、複数の単電池１０において、ガスの排出タイミングが同時期となるといった事態が抑制される。これにより、短時間に多量のガスが組電池1から放出されてハウジング２内に充満するといった事態が抑制されるので、ハウジング２の変形や、ハウジング２に設けられる排出流路が変形するといった問題を抑制することができる。また、排出流路を大型化する必要もないので、組電池モジュール自体の大型化も抑制することができる。
【００５１】
以上、本発明の実施形態にかかる組電池モジュールについて説明したが、本発明は上述した実施形態に限定されることなく、その発明の範囲内において種々の変形が可能である。
【図面の簡単な説明】
【００５２】
【図１】第１の実施形態にかかる組電池１の構成を模式的に示す断面図
【図２】単電池１０を模式的に示す説明図
【図３】第２の実施形態にかかる組電池１を構成する単電池１０を模式的に示す説明図
【図４】第３の実施形態にかかる組電池１を構成する単電池１０を模式的に示す説明図
【図５】第４の実施形態にかかる組電池１を構成する単電池１０を模式的に示す説明図
【図６】第５の実施形態にかかる組電池１を構成する単電池１０を模式的に示す説明図
【図７】第６の実施形態にかかる組電池１を構成する単電池１０を模式的に示す説明図
【符号の説明】
【００５３】
１    組電池
２    ハウジング
１０    単電池
１２    電池外装
１３    金属複合フィルム
１４    金属複合フィルム
１３ａ  シール部
１４ａ  シール部
１３ｂ  凹部
１４ｂ  凹部
１３ｃ  切欠部
１５    正極板
１６    負極板
１８    正極タブ
１９    負極タブ
【図１】
2009266680.tif 000003
【図２】
2009266680.tif 000004
【図３】
2009266680.tif 000005
【図４】
2009266680.tif 000006
【図５】
2009266680.tif 000007
【図６】
2009266680.tif 000008
【図７】
2009266680.tif 000009